(57)【要約】【課題】収納体の収納容積が不足するか否かを簡単に判定すことのできる収納容積シミュレーション装置を提供する。【解決手段】入力手段２と、この入力手段２により入力されたデータに応じた間取り図を表示する表示手段４とを備え、各収納体の製品別に収納容積を記憶した第１データベース５と、予め設定した各収納体の基準容積を記憶した第２データベース６と、入力手段２により収納体の製品が入力されたとき、その製品の収納容積を第１データベース５から求め、その収納体の基準容積を第２データベース６から求め、この基準容積と前記収納容積とを比較して製品の収納容積が不足しているか否かを判定する演算処理手段３とを備え、この演算処理手段３の判定結果を表示手段４に表示する。【選択図】図１
2007316979.tif 000002
【特許請求の範囲】
【請求項１】
住宅の間取り図のデータを入力する入力手段と、この入力手段により入力されたデータに応じた間取り図を表示する表示手段とを備え、この表示手段に表示される間取り図の所定位置に設置する収納体の製品を前記入力手段により入力することによって、その収納体の製品の収納容積が不足しているか否かを判定する収納容積シミュレーション装置であって、
各収納体の製品別に収納容積を記憶した第１データベースと、
前記各収納体の基準容積を記憶した第２データベースと、
前記入力手段により収納体の製品が入力されたとき、その製品の収納容積を第１データベースから求め、その収納体の基準容積を第２データベースから求め、この基準容積と前記収納容積とを比較して製品の収納容積が不足しているか否かを判定する判定手段とを備えてることを特徴とする収納容積シミュレーション装置。
【請求項２】
前記基準容積は、各家族構成別に求めた適正容積であり、
前記判定手段は、入力される家族構成に基づいてその家族構成に応じた適正容積と前記製品の収納容積とを比較して、その製品の収納容積が不足しているか否かを判定することを特徴とする請求項１に記載の収納容積シミュレーション装置。
【請求項３】
前記判定手段が判定した結果を表示手段に表示することを特徴とする請求項１または請求項２に記載の収納容積シミュレーション装置。
【請求項４】
前記製品の収納容積を表示手段に表示することを特徴とする請求項１ないし請求項３のいずれか１つに記載の収納容積シミュレーション装置。
【発明の詳細な説明】
【技術分野】
【０００１】
この発明は、収納体の製品の収納容積が不足しているか否かを判定する収納容積シミュレーション装置に関する。
【背景技術】
【０００２】
従来から、収納部の容積が十分であるか否かを検討することのできる収納計画方法が知られている（特許文献１参照）。
【０００３】
かかる収納計画方法は、顧客の家族全体の所有している収納物の概略数量を聴取して操作者が入力し、この入力した数量に基づいて収納部のサイズが十分であるか否かを検討するものである。
【特許文献１】特開２００１−１４２９１３号公報
【発明の開示】
【発明が解決しようとする課題】
【０００４】
しかしながら、この収納計画方法にあっては、家族全体の所有している収納物の概略数量を聴取しなければならず、その入力は面倒であるなどの問題があった。
【０００５】
この発明の目的は、収納体の収納容積が不足するか否かを簡単に判定すことのできる収納容積シミュレーション装置を提供することにある。
【課題を解決するための手段】
【０００６】
請求項１の発明は、住宅の間取り図のデータを入力する入力手段と、この入力手段により入力されたデータに応じた間取り図を表示する表示手段とを備え、この表示手段に表示される間取り図の所定位置に設置する収納体の製品を前記入力手段により入力することによって、その収納体の製品の収納容積が不足しているか否かを判定する収納容積シミュレーション装置であって、
各収納体の製品別に収納容積を記憶した第１データベースと、
前記各収納体の基準容積を記憶した第２データベースと、
前記入力手段により収納体の製品が入力されたとき、その製品の収納容積を第１データベースから求め、その収納体の基準容積を第２データベースから求め、この基準容積と前記収納容積とを比較して製品の収納容積が不足しているか否かを判定する判定手段とを備えてることを特徴とする。
【０００７】
請求項２の発明は、前記基準容積は、各家族構成別に求めた適正容積であり、
前記判定手段は、入力される家族構成に基づいてその家族構成に応じた適正容積と前記製品の収納容積とを比較して、その製品の収納容積が不足しているか否かを判定することを特徴とする。
【０００８】
請求項３の発明は、前記判定手段が判定した結果を表示手段に表示することを特徴とする。
【０００９】
請求項４の発明は、前記製品の収納容積を表示手段に表示することを特徴とする。
【発明の効果】
【００１０】
請求項１ないし請求項４の発明によれば、収納物の概略数量等を入力しなくても収納体の収納容積が不足するか否かを簡単に判定すことができる。
【発明を実施するための最良の形態】
【００１１】
以下、この発明に係る収納容積シミュレーション装置の実施の形態である実施例を図面に基づいて説明する。
【実施例】
【００１２】
図１に示す収納容積シミュレーション装置１は、住宅の間取り図のデータやその他の各種のデータを入力するキーボードなどから構成される入力手段２と、この入力手段２によって入力されたデータに基づいて各種の演算処理や判定などをを行う演算処理手段（判定手段）３と、入力手段２の入力データに基づいて住宅の間取り図などの表示をする表示手段４と、各収納体の製品別に収納容積を記憶した第１データベース５と、各製品ごとに家族構成別に求めた適正容積を記憶した第２データベース６とを備えている。
【００１３】
第１データベース５には、図２に示す収納体である玄関収納棚１１と、図３に示す洗面台１２と、図４に示すランドリー収納棚１３と、図５に示すトイレ収納棚１４と、図６に示す布団収納棚１５と、図７に示す家事用収納棚１６と、図８に示すリビング収納棚１７と、図９に示すキッチン１８と、図１０に示す衣類収納棚１９と、これら収納棚１１〜１９の各製品（タイプ）ごとの収納容積とが記憶されている。
【００１４】
第２データベース５には、家族構成別に求めた各収納体１１〜１９の適正収納容積が記憶されている。この適正収納容積は、例えば９０％の人が満足する収納容積と、７０％の人が満足する収納容積のデータである。
【００１５】
次に、上記のように構成される収納容積シミュレーション装置１の動作について説明する。
【００１６】
先ず、入力手段２により間取り図面のファイルナンバーを入力する。このファイルナンバーが入力されると図示しないデータベースからそのファイルナンバーに対応した間取り図面が読み出されて、表示手段４に表示される。例えば、図１１に示す間取り図面２０が表示される。
【００１７】
また、入力手段２により間取りデータを入力して、間取り図面を作成してもよい。
【００１８】
ユーザあるいは営業マンはその間取り図面２０を見ながら、所定位置を指定していくと、その指定した位置に対応した収納体の各製品の見本が表示手段４に表示される。これは、作成した間取り図面２０の位置に対応した収納体を演算処理手段が求めて表示手段４に表示するものである。この表示は例えば間取り図面２０の横に表示する。
【００１９】
顧客はそれらの見本のうちの１つを選択すると、この選択されたタイプの製品名がその指定位置に表示される。
【００２０】
例えば、入力手段２により図１１の玄関２１のＡ１を指定すると、図２に示す玄関収納棚１１が種類別に複数表示される。これらのうちから１つを選択する。
【００２１】
同様にして、各位置Ａ２〜Ａ９を指定すると、図３〜図１０に示す各収納棚１２〜１９が種類別に複数表示される。これらのうちから１つを選択する。そして、家族構成を入力する。この家族構成の入力は最初に入力してもよい。
【００２２】
それぞれの入力が終了すると、演算処理手段３は、選択された各製品ごとの収納容積が第１データベース５から読み出し、第２データベース６から各収納体１１〜１９の適正収納容積を読み出し、各収納容積と各適正収納容積とを比較し、この比較結果を図１２の表１に示すように表示する。
【００２３】
例えば、選択した製品の収納容積が９０％の人が満足する収納容積以上であれば「○」を表示し、７０％の人が満足する収納容積以上であれば「△」を表示し、７０％の人が満足する収納容積未満であれば「×」を表示する。また、選択した製品の収納容積も製品名とともに表示する。この表１はプリントアウトすることができるようになている。
【００２４】
このように、表示された収納体１１〜１９の各製品を選択し、家族構成を入力すればよいので、収納体の収納容積が不足するか否かを簡単に判定することができる。また、表１によりどの収納体１１〜１９が不足しているかが分かる。さらに、住宅のプランを作成しただけで収納容積が表示されるので各収納体１１〜１９の収納容積も分かる。
【００２５】
また、住宅のプランを作成した際に収納体の収納容積の判定が行われるので、収納に対しての営業マンの意識を高めることができる。また、入居後に収納体１１〜１９の収納容積不足に対するクレームを減少させることができる。
【００２６】
上記実施例の収納容積シミュレーション装置１は新築の住宅プランの作成だけでなく、増改築のプラン作成にも利用できる。
【図面の簡単な説明】
【００２７】
【図１】この発明に係る収納容積シミュレーション装置の構成を示したブロック図である。
【図２】玄関収納棚を示した外観図である。
【図３】洗面台を示した外観図である。
【図４】ランドリー収納棚を示した外観図である。
【図５】トイレ収納棚を示した外観図である。
【図６】布団収納棚を示した外観図である。
【図７】家事用収納棚を示した外観図である。
【図８】リビング収納棚を示した外観図である。
【図９】キッチンを示した外観図である。
【図１０】衣類収納棚を示した外観図である。
【図１１】住宅の間取りを示した間取り図面である。
【図１２】判定の比較結果を表した表である。
【符号の説明】
【００２８】
１        収納容積シミュレーション装置
２        入力手段
３        演算処理手段（判定手段）
４        表示手段
５        第１データベース
６        第２データベース
【図１】
2007316979.tif 000003
【図１１】
2007316979.tif 000004
【図１２】
2007316979.tif 000005
【図２】
2007316979.tif 000006
【図３】
2007316979.tif 000007
【図４】
2007316979.tif 000008
【図５】
2007316979.tif 000009
【図６】
2007316979.tif 000010
【図７】
2007316979.tif 000011
【図８】
2007316979.tif 000012
【図９】
2007316979.tif 000013
【図１０】
2007316979.tif 000014